(57)【要約】【課題】研究者等の利用者が整然と管理して使用できる低温槽を提供する。【解決手段】前面側に開口部１０が形成された断熱性の槽本体１と、槽本体の開口部を開閉自在に閉塞する断熱性の外扉２と、外扉の内側に設け、開口部を複数に区分けして形成した複数の分割開口部１０ａ、１０ｂを個別に開閉自在に閉塞する複数の断熱性の内扉３Ａ、３Ｂと、槽本体内を冷却する冷凍機とを備えた低温槽であって、各内扉の表面にホワイトボード用の白色のプラスチックフィルム５を粘着して設け、前記プラスチックフィルムを利用して各内扉をホワイトボードとして使用可能に構成する。各内扉の表面に自己の氏名やその他の所望事項等を記載できるので、複数人の研究者等の利用者が１台の低温槽を整然かつ良好に管理して使用できる。【選択図】図５
0003214935.tif 000002
【実用新案登録請求の範囲】
【請求項１】
前面側に開口部が形成された断熱性の槽本体と、前記開口部を開閉自在に閉塞する断熱性の外扉と、前記外扉の内側に設け、前記開口部を複数に区分けして形成した各分割開口部をそれぞれ個別に開閉自在に閉塞する複数の断熱性の内扉と、前記槽本体内を冷却する冷凍機とを備えた低温槽であって、
前記各内扉は、その表面の略全域に粘着その他の手段で貼着して設けた白色のプラスチックフィルムを備え、前記プラスチックフィルムを利用して前記各内扉をホワイトボードとして使用可能に構成されていること
を特徴とする低温槽。
【請求項２】
前記プラスチックフィルムはホワイトボード用のプラスチックフィルムで構成されていることを特徴とする請求項１に記載の低温槽。
【請求項３】
前記プラスチックフィルムは白色のポリエステル系フィルムで構成されていることを特徴とする請求項１又は２に記載の低温槽。
【請求項４】
前記低温槽は、前記槽本体内を−９０℃ないし−６０℃の超低温に維持可能な超低温槽であることを特徴とする請求項１ないし３のいずれかに記載の低温槽。
【考案の詳細な説明】
【技術分野】
【０００１】
本考案は低温槽に関し、さらに詳しくは、例えば、細胞、組織、血液、DNA、RNA等の生体試料や試薬等を収容し、冷却して保存する際等に使用する低温槽に関する。特に本考案は断熱性の槽本体の開口部を閉塞する断熱性の外扉と、前記外扉の内側に複数の断熱性の内扉（副扉とも言う。以下同じ）を備えた低温槽に関する。
【背景技術】
【０００２】
従来、生体試料や試薬等を冷凍して、その品質を保持して長期保存を可能にする装置として、一般に低温槽が使用されている。
【０００３】
従来の低温槽、例えば、特に断熱性の槽本体内を超低温（例えば、−９０℃ないし−６０℃）に維持する低温槽（超低温槽）にあっては、前記槽本体の開口部を開閉自在に閉塞する断熱性の外扉と、この外扉の内側に設け、前記開口部を複数に区分けして形成した分割開口部をそれぞれ個別に開閉自在に閉塞する複数の断熱性の内扉を備えた低温槽は、例えば特許文献１等に開示されているように、一般に知られている。
【先行技術文献】
【特許文献】
【０００４】
【特許文献２】特開平１０−３００３３０号公報
【考案の概要】
【考案が解決しようとする課題】
【０００５】
特許文献１に記載の低温槽（先行技術）によれば、１台の低温槽を複数の研究者や利用者が使用する場合、槽本体内のエリアを内扉により、使用者ごとに区分けして、使用することができる。
【０００６】
しかし、先行技術の低温槽は内扉に文字等を記載できるように構成されていないため、例えば所望の事項等を記載したシール等を内扉に貼着する等により、内扉に所望の告知情報を設けていない場合には、内扉を見ただけでは、その内扉の部位が使用中であるか否かを判別することはできないと共に誤って他者が使用中の内扉を開ける場合が生じるおそれがある等の問題を有している。したがって、管理上等において改良を加えるべき点が残されている。
【０００７】
本考案は上記のような実情に鑑みてなされたもので、上述した問題を解消し、研究者等の利用者が整然と管理して使用できる低温槽を提供することを目的とするものである。
【課題を解決するための手段】
【０００８】
上記目的を達成するため、本考案のうち１つの考案（第１の考案）は、前面側に開口部が形成された断熱性の槽本体と、前記開口部を開閉自在に閉塞する断熱性の外扉と、前記外扉の内側に設け、前記開口部を複数に区分けして形成した各分割開口部をそれぞれ個別に開閉自在に閉塞する複数の断熱性の内扉と、前記槽本体内を冷却する冷凍機とを備えた低温槽であって、
前記各内扉は、その表面の略全域に粘着その他の手段で貼着して設けた白色のプラスチックフィルムを備え、前記プラスチックフィルムを利用して前記各内扉をホワイトボードとして使用可能に構成されていること特徴とする。
【０００９】
上記のように構成した本考案によれば、各内扉をホワイトボードとして使用可能に構成されているので、内扉の表面にフェルトペン（水性）等で文字等を容易に記載することができる。したがって、低温槽を使用する者が、内扉の表面に自分の氏名その他の所望の事項や情報等を記載しておくことにより、上述した問題を解消し、整然かつ良好に管理して低温槽を使用することができる。
【００１０】
本考案の他の１つの考案（第２の考案）は、第１の考案の低温槽において、前記プラスチックフィルムはホワイトボード用のプラスチックフィルムで構成されていることを特徴とする。
【００１１】
本考案のさらに他の１つの考案（第３の考案）は、第１又は第２の考案の低温槽において、前記プラスチックフィルムは白色のポリエステル系フィルムで構成されていることを特徴とする。
【００１２】
本考案のさらに他の１つの考案（第４の考案）は、第１ないし第３の考案の低温槽において、前記低温槽は、前記槽本体内を−９０℃ないし−６０℃の超低温に維持可能な超低温槽であることを特徴とする。
【考案の効果】
【００１３】
本考案によれば、各内扉をホワイトボードとして使用可能に構成されているので、低温槽を使用する者が、内扉の表面に自己の氏名やその他の所望の事項や情報を記載しておくことにより、内扉を見ることにより、内扉に記載されている内容を容易に把握することができる。したがって、使用中の内扉を他人が誤って開けたり、或いはその他の上述した諸問題を解消して、研究者等の利用者が整然かつ良好に管理して使用できる低温槽を提供することができる。
【図面の簡単な説明】
【００１４】
【図１】本考案の一実施形態の低温槽の構成を概略的に示す説明正面図である。
【図２】前記低温槽の構成を概略的に示す説明平面図である。
【図３】図１のＡ−Ａ線説明断面図である。
【図４】図１のＢ−Ｂ線で切断し、その構成を概略的に示す説明端面図である。
【図５】前記低温槽の外扉を開けた状態の構成を概略的に示す説明正面図である。
【図６】前記低温槽に設けた内扉の構成を概略的に示す図であって、同図（ａ）は説明正面図、同図（ｂ）は同図（ａ）のＣ−Ｃ線説明断面図、同図（ｃ）は前記内扉に貼着する白色のプラスチックフィルムを示す説明正面図である。
【図７】前記低温槽に設けた内外両扉の開閉状態を説明するために示す図であって、同図（ａ）は外扉と開けた状態を示す説明図、同図（ｂ）は内外両扉を開けた状態を示す説明図である。
【図８】前記低温槽に設けた内扉をホワイトボードとして使用する状態を説明するために示す説明正面図である。
【考案を実施するための形態】
【００１５】
以下、図面を参照して本考案の低温槽の実施形態の一例について説明する。
【００１６】
図１ないし図８は、本考案の一実施形態の低温槽を示す。
【００１７】
図１ないし図８に示すように、本実施形態の低温槽１００は、前面に開口部１０が形成された断熱性の槽本体１（低温槽本体）と、槽本体１に装着され、開口部１０を開閉自在に閉塞する断熱性の外扉２と、外扉２の内側に設けた複数（図示では２個）の断熱性の内扉３Ａ、３Ｂとを備える。
【００１８】
槽本体１は略四角形の箱形状に形成され、槽本体１の内部は各種の生体試料や試薬等の被冷却物を収容する収容部１１に形成されている。
【００１９】
前記槽本体１は、図示しないが、例えば、鋼鉄製の外箱と、ステンレス製の内箱との間に発泡樹脂製等の断熱材を充填したり、真空断熱材を設ける等により、断熱性を具備させて構成されている。また、外扉２及び内扉３Ａ、３Ｂは鋼鉄製の外側板と内側板との間に前記と同様に発泡樹脂製等の断熱材を充填したり、真空断熱材を設ける等により、断熱性を具備させて構成されている。
【００２０】
前記外扉２は、開口部１０の前面に当接して開口部１０を閉塞するように、槽本体１の前面側に回動自在に装着され、外扉２で開口部１０を開閉自在に閉塞するように構成されている。
【００２１】
本実施形態では、外扉２に取っ手２０が設けてあり、外扉２で開口部１０を閉塞した際に、取っ手２０により外扉２を解除自在にロックできるように構成されている。なお、外扉で開口部を閉塞した際に、外扉を施錠できるように構成してもよい。
【００２２】
前記開口部１０は、図４等に示すように、開口部１０を複数に区分けして形成した複数（図示では２個）の分割開口部１０ａ、１０ｂが設けてある。本実施形態では、開口部１０を上下に分ける部位に前仕切部材１２を設け、前仕切部材１２を境として、開口部を上半部及び下半部に分けて前記分割開口部１０ａ、１０ｂが形成してある。また、開口部１０の内側には段差部１３が形成されている。
【００２３】
前記両内扉３Ａ、３Ｂは、それぞれ前仕切部材１２及び段差部１３に当接して両分割開口部１０ａ、１０ｂをそれぞれ個別に閉塞するように槽本体の両分割開口部の前面側（外扉の内側）に位置させて蝶着等により装着されている。そして、両内扉３Ａ、３Ｂにより、両分割開口部１０ａ、１０ｂをそれぞれ個別に開閉自在に閉塞するように構成されている。また、本実施形態では、両内扉３Ａ、３Ｂに取っ手３０が設けてあり、内扉で分割開口部を閉塞した際に、取っ手３０により内扉を解除自在にロックできるように構成されている。
【００２４】
なお、本実施形態では、開口部１０を上下に２分して２個の分割開口部を形成するように構成してあるが、開口部を２個以上複数に区分けして、複数の分割開口部を形成し、各分割開口部を複数の内扉でそれぞれ個別に開閉自在に閉塞するように構成してもよいこと勿論である。
【００２５】
上記のように構成することにより、１台の低温槽を複数の研究者等の利用者が槽本体内の収容部を内扉により、利用者ごとに区分けして使用することができる。
【００２６】
なお、図示しないが、槽本体内の収容部１１には、収容部１１に収容する所望の被冷却物を載置する任意の載置手段が設けられる。
【００２７】
槽本体１の下部には機械室４が設けてあり、この機械室４内に槽本体内（収容部）を冷却する冷凍機４０等が収容して設けてある。そして、槽本体内を前記冷凍機等により、例えば超低温（例えば−９０℃ないし−６０℃）その他の所望の温度に冷却可能なように構成されている。
【００２８】
前記両内扉３Ａ、３Ｂは、その表面の略全域に粘着その他の手段で貼着して設けた白色のプラスチックフィルム５、５を備える。そして、前記プラスチックフィルムを利用して各内扉３Ａ、３Ｂをホワイトボードとして使用可能に構成されている。
【００２９】
前記白色のプラスチックフィルム５は、一般に市販されているホワイトボード用のプラスチックフィルムを任意に選択して採用することができる。本実施形態では、市販の白色のポリエステル系フィルムで構成したプラスチックフィルムを採用している。
【００３０】
前記白色のプラスチックフィルム５は、例えば水性のフェルトペン等で文字等を容易に記載することができる。また、記載した文字等を消し具により容易に消すことができるように構成されている。
【００３１】
本実施形態では、前記白色のプラスチックフィルムを内扉と略同一大きさに裁断し、この裁断したプラスチックフィルムを両内扉３Ａ、３Ｂの表面に粘着して、両内扉をホワイトボードとして利用可能に構成されている。
【００３２】
本実施形態によれば、各内扉をホワイトボードとして使用可能に構成されているので、低温槽を使用する者が、図８に示すように、内扉の表面に自分の氏名やその他の所望の事項や情報等を記載５０しておくことにより、内扉を見れば内扉に記載されている内容を容易に確認できる。したがって、使用中の内扉を他人が誤って開けたりするのを防止できるので、研究者等の利用者が整然かつ良好に管理して使用できる低温槽を提供することができる。
【００３３】
なお、上記した実施形態は一例として開示したもので、本考案は上記実施形態に限定されるものではなく、実用新案登録請求の範囲に記載の技術思想を越脱しない範囲において任意に変更可能なものである。
【符号の説明】
【００３４】
１          槽本体
２          外扉
３Ａ、３Ｂ      内扉
５          白色のプラスチックフィルム
１０        開口部
１０ａ、１０ｂ    分割開口部
１１        収容部
【図１】
0003214935.tif 000003
【図２】
0003214935.tif 000004
【図３】
0003214935.tif 000005
【図４】
0003214935.tif 000006
【図５】
0003214935.tif 000007
【図６】
0003214935.tif 000008
【図７】
0003214935.tif 000009
【図８】
0003214935.tif 000010